(57)【要約】【課題】水平型表示装置の表示画面上での携帯型表示装置の位置に応じた位置に、携帯型表示装置に表示された画像に応じた画像を表示できるようにする。【解決手段】水平型表示装置１０と、携帯型表示装置２０と、共有画面制御装置３０とを備える。携帯型表示装置２０のＩＤ保持部２６１が保持するＩＤに基づいて、水平型表示装置１０のＩＤ検出部１８１及び位置算出部１８２が携帯型表示装置２０のＩＤ及び位置を特定し、通信部１９がこれらの情報を共有画面制御装置３０に送信する。また、携帯型表示装置２０の操作受付部２２が受け付けた操作の対象の文書情報を通信部２９が共有画面制御装置３０に送信する。これにより、共有画面制御装置３０では、表示状態管理部３１が表示状態の情報を求め、文書取得部３２が電子文書を取得し、通信部３９が電子文書及び表示状態の情報を水平型表示装置１０に送信する。【選択図】図９
2008242367.tif 000002
【特許請求の範囲】
【請求項１】
第１の装置の表示画面上での第２の装置の位置を特定する位置特定手段と、
前記第２の装置の表示画面に表示された画像、及び、当該表示画面に表示された画像のうちの指定された画像のいずれか一方を特定する画像特定手段と、
前記位置特定手段により特定された前記第２の装置の位置に応じた前記第１の装置の表示画面上の所定位置に、前記画像特定手段により特定された画像に応じた所定画像が表示されるように制御する制御手段と
を備えたことを特徴とする表示制御装置。
【請求項２】
前記制御手段は、前記所定画像の上側が前記第２の装置の表示画面を通常閲覧する側を向いた状態で、当該所定画像が表示されるように制御することを特徴とする請求項１記載の表示制御装置。
【請求項３】
前記所定画像は、前記画像特定手段により特定された画像と所定の関係を有する画像であり、
前記所定位置は、前記位置特定手段により特定された前記第２の装置の位置との間に前記所定の関係に応じた関係を有する位置であることを特徴とする請求項１記載の表示制御装置。
【請求項４】
前記所定画像は、前記画像特定手段により特定された画像に対して所定の順序関係において先及び後となる２つの画像であり、
前記所定位置は、前記位置特定手段により特定された前記第２の装置の位置を中心として対称な２つの位置であることを特徴とする請求項１記載の表示制御装置。
【請求項５】
前記第１の装置の表示画面上での前記第２の装置の方向を特定する方向特定手段を更に備え、
前記制御手段は、前記方向特定手段により特定された前記第２の装置の方向に応じて、前記所定画像が表示されるように制御することを特徴とする請求項１記載の表示制御装置。
【請求項６】
前記位置特定手段は、前記第２の装置が保持する情報を前記第１の装置が取得する際に得られる情報に基づいて、当該第２の装置の位置を特定することを特徴とする請求項１記載の表示制御装置。
【請求項７】
前記位置特定手段は、前記第１の装置が保持する情報を前記第２の装置が取得する際に得られる情報に基づいて、当該第２の装置の位置を特定することを特徴とする請求項１記載の表示制御装置。
【請求項８】
前記第２の装置の表示画面に表示された画像の変更を認識する認識手段を更に備え、
前記制御手段は、前記位置特定手段により特定された前記第２の装置の位置に応じた前記第１の装置の表示画面上の所定位置に、前記認識手段により認識された変更がなされた後の画像に応じた画像が表示されるように制御することを特徴とする請求項１記載の表示制御装置。
【請求項９】
表示画面に画像を表示する表示手段と、
前記表示画面上での特定の装置の位置を特定する位置特定手段と、
前記特定の装置が表示する画像、及び、当該特定の装置が表示する画像のうちの指定された画像のいずれか一方を特定する画像特定手段と、
前記位置特定手段により特定された前記特定の装置の位置に応じた前記表示画面上の所定位置に、前記画像特定手段により特定された画像に応じた所定画像を表示するように、前記表示手段を制御する制御手段と
を備えたことを特徴とする表示装置。
【請求項１０】
実質的に水平な表示画面に画像を表示する表示手段と、
特定の装置に画像を表示した状態で当該特定の装置を前記表示画面に置く操作、及び、当該特定の装置を当該表示画面に置いた状態で当該特定の装置に表示された画像を指定する操作のいずれか一方に応じて、当該特定の装置に当該画像を表示したまま、当該画像及び当該画像に関連する画像のいずれか一方を、当該表示画面上の所定の位置に表示するよう、前記表示手段を制御する制御手段と
を備えたことを特徴とする表示装置。
【請求項１１】
第１の表示画面に画像を表示する第１の表示装置と、
第２の表示画面に画像を表示する第２の表示装置と、
前記第１の表示装置及び前記第２の表示装置を制御する制御装置と
を備え、
前記第１の表示装置は、前記第１の表示画面上での前記第２の表示装置の位置を前記制御装置に伝達し、
前記第２の表示装置は、前記第２の表示画面に表示されている画像、及び、当該第２の表示画面に表示されている画像のうちの指定された画像のいずれか一方に関する情報を前記制御装置に伝達し、
前記制御装置は、前記第１の表示装置から伝達された前記第２の表示装置の位置に応じた前記第１の表示画面上の所定位置に、前記第２の表示装置から伝達された情報に応じた所定画像が表示されるように制御することを特徴とする表示システム。
【請求項１２】
第１の表示画面に画像を表示する第１の表示装置と、
第２の表示画面に画像を表示する第２の表示装置と、
前記第１の表示装置及び前記第２の表示装置を制御する制御装置と
を備え、
前記第２の表示装置は、前記第１の表示画面上での自身の位置を前記制御装置に伝達し、かつ、前記第２の表示画面に表示されている画像、及び、当該第２の表示画面に表示されている画像のうちの指定された画像のいずれか一方に関する情報を前記制御装置に伝達し、
前記制御装置は、前記第２の表示装置から伝達された当該第２の表示装置の位置に応じた前記第１の表示画面上の所定位置に、前記第２の表示装置から伝達された情報に応じた所定画像が表示されるように制御することを特徴とする表示システム。
【請求項１３】
コンピュータに、
第１の装置の表示画面上での第２の装置の位置を特定する機能と、
前記第２の装置の表示画面に表示された画像、及び、当該表示画面に表示された画像のうちの指定された画像のいずれか一方を特定する機能と、
特定された前記第２の装置の位置に応じた前記第１の装置の表示画面上の所定位置に、特定された画像に応じた所定画像が表示されるように制御する機能と
を実現させるためのプログラム。
【発明の詳細な説明】
【技術分野】
【０００１】
本発明は、表示制御装置、表示装置、表示システム、プログラムに関する。
【背景技術】
【０００２】
テーブルや壁面を、携帯型コンピュータを空間的に拡張する作業環境として機能させる技術は知られている（例えば、特許文献１参照）。この特許文献１では、例えば、あるユーザのコンピュータ・ディスプレイ上のドラッグ操作を、そのままコンピュータが設置された平面（テーブルや壁面）に継承する「ハイパードラッグ」操作が可能になっている。
【０００３】
【特許文献１】特開２００１−１３６５０４号公報
【発明の開示】
【発明が解決しようとする課題】
【０００４】
ここで、第１の装置の表示画面上での第２の装置の位置に応じた位置に、第２の装置に表示された画像に応じた画像を表示するような仕組みは提案されていなかった。
【０００５】
本発明の目的は、第１の装置の表示画面上での第２の装置の位置に応じた位置に、第２の装置に表示された画像に応じた画像を表示できるようにすることにある。
【課題を解決するための手段】
【０００６】
請求項１に記載の発明は、
第１の装置の表示画面上での第２の装置の位置を特定する位置特定手段と、
前記第２の装置の表示画面に表示された画像、及び、当該表示画面に表示された画像のうちの指定された画像のいずれか一方を特定する画像特定手段と、
前記位置特定手段により特定された前記第２の装置の位置に応じた前記第１の装置の表示画面上の所定位置に、前記画像特定手段により特定された画像に応じた所定画像が表示されるように制御する制御手段と
を備えたことを特徴とする表示制御装置である。
請求項２に記載の発明は、
前記制御手段は、前記所定画像の上側が前記第２の装置の表示画面を通常閲覧する側を向いた状態で、当該所定画像が表示されるように制御することを特徴とする請求項１記載の表示制御装置である。
請求項３に記載の発明は、
前記所定画像は、前記画像特定手段により特定された画像と所定の関係を有する画像であり、
前記所定位置は、前記位置特定手段により特定された前記第２の装置の位置との間に前記所定の関係に応じた関係を有する位置であることを特徴とする請求項１記載の表示制御装置である。
請求項４に記載の発明は、
前記所定画像は、前記画像特定手段により特定された画像に対して所定の順序関係において先及び後となる２つの画像であり、
前記所定位置は、前記位置特定手段により特定された前記第２の装置の位置を中心として対称な２つの位置であることを特徴とする請求項１記載の表示制御装置である。
請求項５に記載の発明は、
前記第１の装置の表示画面上での前記第２の装置の方向を特定する方向特定手段を更に備え、
前記制御手段は、前記方向特定手段により特定された前記第２の装置の方向に応じて、前記所定画像が表示されるように制御することを特徴とする請求項１記載の表示制御装置である。
請求項６に記載の発明は、
前記位置特定手段は、前記第２の装置が保持する情報を前記第１の装置が取得する際に得られる情報に基づいて、当該第２の装置の位置を特定することを特徴とする請求項１記載の表示制御装置である。
請求項７に記載の発明は、
前記位置特定手段は、前記第１の装置が保持する情報を前記第２の装置が取得する際に得られる情報に基づいて、当該第２の装置の位置を特定することを特徴とする請求項１記載の表示制御装置である。
請求項８に記載の発明は、
前記第２の装置の表示画面に表示された画像の変更を認識する認識手段を更に備え、
前記制御手段は、前記位置特定手段により特定された前記第２の装置の位置に応じた前記第１の装置の表示画面上の所定位置に、前記認識手段により認識された変更がなされた後の画像に応じた画像が表示されるように制御することを特徴とする請求項１記載の表示制御装置である。
請求項９に記載の発明は、
表示画面に画像を表示する表示手段と、
前記表示画面上での特定の装置の位置を特定する位置特定手段と、
前記特定の装置が表示する画像、及び、当該特定の装置が表示する画像のうちの指定された画像のいずれか一方を特定する画像特定手段と、
前記位置特定手段により特定された前記特定の装置の位置に応じた前記表示画面上の所定位置に、前記画像特定手段により特定された画像に応じた所定画像を表示するように、前記表示手段を制御する制御手段と
を備えたことを特徴とする表示装置である。
請求項１０に記載の発明は、
実質的に水平な表示画面に画像を表示する表示手段と、
特定の装置に画像を表示した状態で当該特定の装置を前記表示画面に置く操作、及び、当該特定の装置を当該表示画面に置いた状態で当該特定の装置に表示された画像を指定する操作のいずれか一方に応じて、当該特定の装置に当該画像を表示したまま、当該画像及び当該画像に関連する画像のいずれか一方を、当該表示画面上の所定の位置に表示するよう、前記表示手段を制御する制御手段と
を備えたことを特徴とする表示装置である。
請求項１１に記載の発明は、
第１の表示画面に画像を表示する第１の表示装置と、
第２の表示画面に画像を表示する第２の表示装置と、
前記第１の表示装置及び前記第２の表示装置を制御する制御装置と
を備え、
前記第１の表示装置は、前記第１の表示画面上での前記第２の表示装置の位置を前記制御装置に伝達し、
前記第２の表示装置は、前記第２の表示画面に表示されている画像、及び、当該第２の表示画面に表示されている画像のうちの指定された画像のいずれか一方に関する情報を前記制御装置に伝達し、
前記制御装置は、前記第１の表示装置から伝達された前記第２の表示装置の位置に応じた前記第１の表示画面上の所定位置に、前記第２の表示装置から伝達された情報に応じた所定画像が表示されるように制御することを特徴とする表示システムである。
請求項１２に記載の発明は、
第１の表示画面に画像を表示する第１の表示装置と、
第２の表示画面に画像を表示する第２の表示装置と、
前記第１の表示装置及び前記第２の表示装置を制御する制御装置と
を備え、
前記第２の表示装置は、前記第１の表示画面上での自身の位置を前記制御装置に伝達し、かつ、前記第２の表示画面に表示されている画像、及び、当該第２の表示画面に表示されている画像のうちの指定された画像のいずれか一方に関する情報を前記制御装置に伝達し、
前記制御装置は、前記第２の表示装置から伝達された当該第２の表示装置の位置に応じた前記第１の表示画面上の所定位置に、前記第２の表示装置から伝達された情報に応じた所定画像が表示されるように制御することを特徴とする表示システムである。
請求項１３に記載の発明は、
コンピュータに、
第１の装置の表示画面上での第２の装置の位置を特定する機能と、
前記第２の装置の表示画面に表示された画像、及び、当該表示画面に表示された画像のうちの指定された画像のいずれか一方を特定する機能と、
特定された前記第２の装置の位置に応じた前記第１の装置の表示画面上の所定位置に、特定された画像に応じた所定画像が表示されるように制御する機能と
を実現させるためのプログラムである。
【発明の効果】
【０００７】
請求項１の発明は、第１の装置の表示画面上での第２の装置の位置に応じた位置に、第２の装置に表示された画像に応じた画像を表示することができるという効果を有する。
請求項２の発明は、第２の装置の表示画面を通常閲覧する側から見て逆向きに画像を表示することができるという効果を有する。
請求項３の発明は、第１の装置の表示画面上での第２の装置の位置と画像の表示位置との関係を、第２の装置に表示された画像と第１の装置の表示画面に表示する画像との関係に応じたものとすることができるという効果を有する。
請求項４の発明は、第２の装置に表示された画像に対して所定の順序関係において先及び後となる２つの画像を、第２の装置を中心として対称な２つの位置に表示することができるという効果を有する。
請求項５の発明は、第１の装置の表示画面上での第２の装置の方向に応じて画像を表示することができるという効果を有する。
請求項６の発明は、第２の装置の位置を特定するのに用いる情報を取得するための機構を、第２の装置に設けなくてよいという効果を有する。
請求項７の発明は、第２の装置の位置を特定するのに用いる情報を取得するための機構を、第１の装置に設けなくてよいという効果を有する。
請求項８の発明は、第２の装置に表示された画像の変更を、第１の装置の表示画面に表示された画像に反映することができるという効果を有する。
請求項９の発明は、表示画面上での特定の装置の位置に応じた位置に、特定の装置に表示された画像に応じた画像を表示することができるという効果を有する。
請求項１０の発明は、特定の表示装置が置かれた実質的に水平な表示画面に、特定の装置に画像を表示したまま、その画像や関連する画像を表示することができるという効果を有する。
請求項１１の発明は、第１の表示装置の表示画面上での第２の表示装置の位置に応じた位置に、第２の表示装置に表示された画像に応じた画像を表示することができるという効果を有する。
請求項１２の発明は、第１の表示装置の表示画面上での第２の表示装置の位置に応じた位置に、第２の表示装置に表示された画像に応じた画像を表示することができるという効果を有する。
請求項１３の発明は、第１の装置の表示画面上での第２の装置の位置に応じた位置に、第２の装置に表示された画像に応じた画像を表示することができるという効果を有する。
【発明を実施するための最良の形態】
【０００８】
以下、添付図面を参照して、本発明を実施するための最良の形態（以下、「実施の形態」という）について詳細に説明する。
本実施の形態では、表示装置の一例として、複数のユーザが取り囲んで議論等を行うための水平型表示装置を用いる。ユーザが持ち込んだ携帯型表示装置をこの水平型表示装置の上に置き、携帯型表示装置に表示された電子文書を水平型表示装置上の共有画面で共有することで、議論等が行われる。そこで、まず、この水平型表示装置及び携帯型表示装置の機構について説明する。
【０００９】
まず、水平型表示装置及び携帯型表示装置の機構の第１の例について説明する。
図１は、第１の例において、水平型表示装置１０に携帯型表示装置２０を載せた場合の断面図である。携帯型表示装置２０は水平型表示装置１０に接触するのが普通であるが、図では見易さのため、水平型表示装置１０と携帯型表示装置２０との間に隙間を設けて示している。
図示するように、水平型表示装置１０は、議論等を行う作業台としての天板１１と、天板１１を支持する脚部１２ａ〜１２ｄとを備える。また、天板１１に対して背面から画像を投影する投影ユニット１３と、投影ユニット１３を移動自在に支持するキャスター１４ａ〜１４ｄと、天板１１に投影させる画像を映し出すプロジェクタ１５とを備える。更に、携帯型表示装置２０の底面に対して赤外光を照射する赤外光光源１７と、携帯型表示装置２０の底面で反射された赤外光を受光する赤外カメラ１８ａとを備える。但し、図１は断面図のため、脚部１２ｃ及び１２ｄ、キャスター１４ｃ及び１４ｄについては、図に現れていない。
【００１０】
天板１１は、その周囲の任意の位置にユーザが立って議論等に参加できるよう、例えば、円形のものを用いる。また、例えばガラス板等の基材に乳白色の半透明フィルターを貼り付けて透過型スクリーンを形成し、投影ユニット１３により投影された画像を表示する表示画面（例えば、大画面ディスプレイ）として機能させる。即ち、本実施の形態では、表示手段の一例として、天板１１を用いた。更に、表示された画像に対するユーザの操作を検知するタッチパネルの機能も備える。ここで、タッチパネルは、天板１１の表面を接触を検知するための素子を配置した透明なスクリーンで覆うことで実現してもよいし、天板１１の表面で縦、横に赤外光を走らせてその遮断された位置を検出することで実現してもよい。但し、本実施の形態では、図示するように、天板１１に携帯型表示装置２０が置かれることがある。従って、天板１１が備えるタッチパネルの機能は、携帯型表示装置２０の底面によるタッチを、ユーザ操作としてのタッチとは区別して処理するものとする。例えば、タッチされている箇所が一定の面積を超える場合には、ユーザ操作を表す信号を発生させないようにすればよい。
脚部１２ａ〜１２ｄは、４本脚の場合の例であるが、脚部の数はこれに限らない。
【００１１】
投影ユニット１３は、天板１１の側の面が開いた四角柱の箱からなっており、その中にミラー１３ａ及び１３ｂを備える。ここで、ミラー１３ａ及び１３ｂは、図のような角度で固定され、投影ユニット１３の箱の側面に取り付けられているものとする。
キャスター１４ａ〜１４ｄは、天板１１、脚部１２ａ〜１２ｄ、プロジェクタ１５からなるテーブルの移動に合わせて投影ユニット１３を動かせるよう、投影ユニット１３の底面に取り付けられている。但し、テーブルに対する投影ユニット１３の相対的位置がずれることのないようにする。尚、ここでは、キャスターを４つとしたが、その数はこれに限らない。
プロジェクタ１５は、天板１１の下に吊り下げられて固定され、ミラー１３ａの方向に画像を投影する。すると、その画像はミラー１３ｂで反射し、天板１１に投影されることになる。
【００１２】
赤外光光源１７は、例えば、赤外カメラ１８ａのシャッタタイミングに同期させてパルス点灯する。これにより、天板１１の携帯型表示装置２０が載る可能性のある領域に対して、定期的に赤外光が照射されることになる。この赤外光光源１７としては、例えば、赤外ＬＥＤを用いるとよい。
赤外カメラ１８ａは、赤外光が照射された携帯型表示装置２０の底面を、赤外領域に感度を有するイメージセンサによって撮像する。そして、撮像された画像を解析することにより、携帯型表示装置２０のＩＤ及び位置が検出される。ここで、イメージセンサとしては、例えば、ＣＭＯＳセンサやＣＣＤセンサを用いるとよい。
本実施の形態では、このように赤外光を用いて画像を読み取ることで、プロジェクタ１５の可視光による映像に影響を与えないようにしている。また、更に確実な投影やＩＤの認識を行うために、天板１１には、一定の角度の光以外を透過させるホログラフィック光素子を用いてもよい。或いは、電気的に透過／不透過を変えられるフィルムを天板１１に貼り付け、投影とＩＤの認識を短い周期で切り替える方法も考えられる。
【００１３】
一方、携帯型表示装置２０は、携帯型の端末装置であれば如何なるものでもよい。ノート型のＰＣが代表例であるが、ＰＤＡ（Personal Digital Assistants）、デジタルカメラ、携帯電話等であっても構わない。但し、携帯型表示装置２０の底面には、赤外光光源１７及び赤外カメラ１８ａを用いてそのＩＤ及び位置が検出されるよう、赤外領域に吸収域を持つ色材（例えば、トナー）を用いて形成された符号画像２６ａが貼付されている。
【００１４】
図２は、符号画像２６ａを構成する画像等の一例を示した図である。
まず、符号画像２６ａを構成する単位パターンについて説明する。
図２（ａ）は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６（＝９Ｃ２）通りなので、単位パターンは、３６種類存在する。このうち、４種類の単位パターンは、同期パターンとして使用される。同期パターンとは、画像の回転を検出したり、識別符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号を表現する情報パターンとして使用され、５ビットの情報が表現される。
【００１５】
ところで、図２（ａ）に示したドットは、あくまで情報表現のためのドットであり、画像を構成する最小の点を意味するドットとは必ずしも一致しない。本実施の形態において、情報表現のためのドット（図２（ａ）の最小の四角）は、６００ｄｐｉにおける２ドット×２ドットの大きさを有している。６００ｄｐｉにおける１ドットの大きさは０．０４２３ｍｍなので、情報表現のためのドット（図２（ａ）の最小の四角）の一辺は、８４．６μｍ（＝０．０４２３ｍｍ×２）である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。
【００１６】
次に、このような単位パターンから構成される符号ブロックについて説明する。
図２（ｂ）に、符号ブロックのレイアウトの一例を示す。尚、ここでは、画像ではなく、パターン画像によって置き換えられる直前の符号配列で示している。即ち、図２（ｂ）の最小の四角（以下、「単位ブロック」という）に、図２（ａ）のような単位パターン（３６通りの単位パターンのいずれか）が配置され、その画像が媒体に形成されることになる。
図２（ｂ）のレイアウトでは、符号ブロックの左上の１つの単位ブロックに、同期符号が配置されている。また、同期符号が配置された単位ブロックの右側の４つの単位ブロック、同期符号が配置された単位ブロックの下側の４つの単位ブロック、更には、これらの単位ブロックに囲まれた１６（＝４×４）個の単位ブロックに識別符号が配置されている。
【００１７】
本実施の形態では、携帯型表示装置２０のＩＤを符号化し、符号画像２６ａにおける識別符号とする。こうすることで、赤外カメラ１８ａで撮像した画像を解析すると携帯型表示装置２０のＩＤが得られ、水平型表示装置１０にどの携帯型表示装置２０が載せられたかが分かる。
一方、水平型表示装置１０上の携帯型表示装置２０の位置は、赤外カメラ１８ａが撮像した画像内での符号画像の位置及び大きさに基づいて求める。例えば、赤外カメラ１８ａが撮像した画像内で、符号画像が上側にあれば、略鉛直上方からの赤外光を受光したことが分かり、符号画像が下側にあれば、鉛直方向よりも水平方向に近い方向から赤外光を受光したことが分かる。また、符号画像２６ａの大きさを予め決めておき、赤外カメラ１８ａで撮像した画像内の符号画像の大きさと比較することで、赤外カメラ１８ａから符号画像２６ａまでの距離を認識する。そして、ここで求めた方向及び距離から、携帯型表示装置２０の３次元空間内での位置を特定する。
【００１８】
尚、符号画像２６ａを形成するために用いるトナーには、Ｋ（カーボンを含む黒）のトナーや、特殊トナーがある。
ここで、特殊トナーとしては、可視光領域（４００ｎｍ〜７００ｎｍ）における最大吸収率が７％以下であり、近赤外領域（８００ｎｍ〜１０００ｎｍ）における吸収率が３０％以上の不可視トナーが例示される。但し、「可視」及び「不可視」は、目視により認識できるかどうかとは関係しない。符号画像が可視光領域における特定の波長の吸収に起因する発色性の有無により認識できるかどうかで「可視」と「不可視」とを区別する。また、可視光領域における特定の波長の吸収に起因する発色性が若干あるが人間の目で認識し難いものも、「不可視」に含める。
【００１９】
次に、水平型表示装置及び携帯型表示装置の機構の第２の例について説明する。
図３は、第２の例において、水平型表示装置１０に携帯型表示装置２０を載せた場合の断面図である。この図でも見易さのため、水平型表示装置１０と携帯型表示装置２０との間に隙間を設けて示している。
図示するように、水平型表示装置１０は、天板１１と、脚部１２ａ〜１２ｄと、ミラー１３ａ及び１３ｂを含む投影ユニット１３と、キャスター１４ａ〜１４ｄと、プロジェクタ１５とを備えるが、これらは、図１に示した水平型表示装置１０におけるものと同様なので、説明を省略する。
【００２０】
ところで、図１では、携帯型表示装置２０が保持する符号画像を水平型表示装置１０が読み取るようにしたが、図３はこれとは逆に、水平型表示装置１０が保持する符号画像を携帯型表示装置２０が読み取るようにする。即ち、図３において、携帯型表示装置２０は、図１と同様、ノート型のＰＣ等であってよいが、符号画像２６ａの代わりに、赤外光光源２７及び赤外カメラ２８を備えている。尚、赤外光光源２７及び赤外カメラ２８の機能自体は、図１の赤外光光源１７及び赤外カメラ１８ａの機能と同じであるので、説明を省略する。
一方、水平型表示装置１０は、赤外光光源１７及び赤外カメラ１８ａを備えていない。その代わりに、赤外光光源２７及び赤外カメラ２８を用いてそのＩＤ及び位置が検出されるよう、天板１１の表面には、赤外領域に吸収域を持つ色材（例えば、トナー）を用いて形成された符号画像１６が貼付されている。
【００２１】
図４は、符号画像１６を構成する画像等の一例を示した図である。
図４（ａ）は、符号画像１６を構成する単位パターンの一例を示したものであるが、これについては、図２（ａ）を参照して説明したものと同様であるので説明を省略する。但し、図２（ａ）では、単位パターンのうち同期パターン以外の情報パターンを識別符号のみを表現するものとして説明したが、図４では、後述するように、識別符号だけでなく、位置符号も表現する。
【００２２】
次に、このような単位パターンから構成される符号ブロックについて説明する。
図４（ｂ）に、符号ブロックのレイアウトの一例を示す。尚、ここでは、画像ではなく、パターン画像によって置き換えられる直前の符号配列で示している。即ち、図４（ｂ）の最小の四角（単位ブロック）に、図４（ａ）のような単位パターン（３６通りの単位パターンのいずれか）が配置され、その画像が媒体に形成されることになる。
図４（ｂ）のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６（＝４×４）個の単位ブロックに識別符号が配置されている。
【００２３】
本実施の形態では、水平型表示装置１０のＩＤを符号化し、符号画像１６における識別符号とする。また、水平型表示装置１０上の座標位置を符号化し、符号画像１６における位置符号とする。こうすることで、赤外カメラ２８で撮像した画像を解析すると水平型表示装置１０のＩＤ及びその上での座標位置が得られ、どの水平型表示装置１０の上のどの位置に携帯型表示装置２０が載せられたかが分かるようになる。
尚、符号画像１６を形成するために用いるトナーとしては、図１の場合と同様のものを用いるとよい。
【００２４】
次いで、水平型表示装置及び携帯型表示装置の機構の第３の例について説明する。
図５は、第３の例において、水平型表示装置１０に携帯型表示装置２０を載せた場合の断面図である。この図でも見易さのため、水平型表示装置１０と携帯型表示装置２０との間に隙間を設けて示している。
図示するように、水平型表示装置１０は、天板１１と、脚部１２ａ〜１２ｄと、ミラー１３ａ及び１３ｂを含む投影ユニット１３と、キャスター１４ａ〜１４ｄと、プロジェクタ１５とを備えるが、これらは、図１及び図３に示した水平型表示装置１０におけるものと同様なので、説明を省略する。
【００２５】
ところで、図１では、携帯型表示装置２０が保持する情報を水平型表示装置１０が赤外光で読み取るようにしたが、図５では、携帯型表示装置２０が保持する情報を水平型表示装置１０が無線通信で読み取るようにする。即ち、図５において、携帯型表示装置２０は、図１と同様、ノート型のＰＣ等であってよいが、符号画像２６ａの代わりに、ワイヤレスセンサ２６ｂを備えている。一方、水平型表示装置１０は、赤外光光源１７及び赤外カメラ１８ａの代わりに、送受信機１８ｂを備えている。
【００２６】
ここで、ワイヤレスセンサ２６ｂについて説明する。
図６は、ワイヤレスセンサ２６ｂの構成を示す図である。このワイヤレスセンサ２６ｂは、Ｓｉを材料とする基板上に酸化膜を介して形成され、弾性表面波（ＳＡＷ：Surface Acoustic Wave）を伝播する誘電体薄膜６１と、誘電体薄膜６１上に形成され、電気信号から弾性表面波への変換又は弾性表面波から電気信号への変換を行う櫛型電極（ＩＤＴ：Inter-digital Transducer）６２ａ及び６２ｂとを備える。また、櫛型電極６２ａ及び６２ｂの一方にインピーダンスマッチング部６３ａ及び６３ｂを介して接続され、送受信機１８ｂとの間で電波信号の授受を行うアンテナ６４ａ及び６４ｂと、櫛型電極６２ａ及び６２ｂの他方に接続されたグランド６５ａ及び６５ｂとを備える。
【００２７】
尚、櫛型電極６２ａ及び６２ｂ、アンテナ６４ａ及び６４ｂ、インピーダンスマッチング部６３ａ及び６３ｂは、導電パターンにより一体的に形成される。この導電パターンの材料としては、Ｔｉ、Ｃｒ、Ｃｕ、Ｗ、Ｎｉ、Ｔａ、Ｇａ、Ｉｎ、Ａｌ、Ｐｂ、Ｐｔ、Ａｕ、Ａｇ等の金属、又は、Ｔｉ−Ａｌ、Ａｌ−Ｃｕ、Ｔｉ−Ｎ、Ｎｉ−Ｃｒ等の合金を、単層若しくは２層以上の多層構造にて積層することが好ましく、特に金属としてはＡｕ、Ｔｉ、Ｗ、Ａｌ、Ｃｕが好ましい。また、この金属層の膜厚は、１ｎｍ以上１０μｍ未満とすることが好ましい。
【００２８】
かかる構成を有するワイヤレスセンサ２６ｂは、複数個用意され、各々が対応する携帯型表示装置２０のＩＤを保持する。複数のワイヤレスセンサ２６ｂは、原則として、同じ周波数を用いるが、同じ周波数で異なったＩＤを得るためには、櫛型電極６２ａと６２ｂの間の離間寸法ｄをワイヤレスセンサ２６ｂ間で異ならせ、弾性表面波が櫛型電極６２ａと６２ｂの間を移動する時間を変えればよい。尚、誘電体薄膜６１上を移動する弾性表面波の移動時間は、電波信号が送受信機１８ｂとワイヤレスセンサ２６ｂの間を移動する時間に比べて非常に大きいため、ＩＤは、櫛型電極６２ａと６２ｂの間の弾性表面波の伝達時間ｔに応じて設定される。例えば、水平型表示装置１０の図示しない記憶装置に、伝達時間ｔとＩＤとを対応付けたＩＤ設定テーブルが記憶しておくとよい。
【００２９】
ワイヤレスセンサ２６ｂを用いたＩＤ検出の基本動作は、次の通りである。
まず、送受信機１８ｂは、３００ＭＨｚの周波数を有するセンサ質問信号を送信する。ワイヤレスセンサ２６ｂは、センサ質問信号を受信すると、誘電体薄膜６１に弾性表面波を発生させ、センサ応答信号を送信する。すると、送受信機１８ｂは、このセンサ応答信号を受信して解析処理を行い、この解析処理で算出した伝達時間ｔに基づき、ＩＤ設定テーブルを参照してＩＤを読み出す。
【００３０】
一方、水平型表示装置１０は、送受信機１８ｂがワイヤレスセンサ２６ｂから受信する電波の強度により携帯型表示装置２０までの距離を求め、これに基づいて携帯型表示装置２０の位置を算出する。送受信機１８ｂを複数設けることで、３次元空間内での位置の精度が向上する。
【００３１】
尚、本実施の形態では、実質的に水平な表示画面を有する表示装置の一例として、水平型表示装置１０を用いた。ここで、「実質的に水平」とは、天板１１が地面又は床面と完全に平行であることまでを要求する趣旨ではなく、天板１１の上に携帯型表示装置２０を載せてもずれ落ちない程度に水平であればよいものとする。また、以下、水平型表示装置１０に適用した場合について説明するが、垂直型等、他のタイプの表示装置に適用してもよい。
【００３２】
本実施の形態では、以上述べてきた水平型表示装置１０を用いて、図７及び８に示すような表示を実現する。尚、ここでは、水平型表示装置１０上に実現される共有画面を参照しながら会議を行うために、会議への参加者が各自の携帯型表示装置２０を会議室に持ち込む場面を想定する。
【００３３】
図７は、携帯型表示装置２０に表示した電子文書を水平型表示装置１０に表示する第１の例を示したものである。
まず、参加者は、携帯型表示装置２０を水平型表示装置１０に載せ、例えば、会議室内の所定の回線への接続作業を行う。すると、（ａ）に示すように、携帯型表示装置２０の表示画面２１に、共有画面に対応する領域（共有領域２１ａ）が表示される。図では、共有領域２１ａを表示画面２１上で一定の面積を有する領域（網掛けの領域）として示したが、例えば、フォルダのようなものであってもよい。一方、共有領域２１ａ以外の領域は、個人用の表示領域（個人領域２１ｂ）であり、この時点では共有されていない電子文書の画像が表示されている。
次に、参加者は、個人領域２１ｂに表示された電子文書の画像を選択し、例えばドラッグ操作により、共有領域２１ａに移動する。すると、水平型表示装置１０及び携帯型表示装置２０における表示は、（ｂ）に示すようなものとなる。即ち、移動された電子文書が共有領域２１ａに表示されると共に、その電子文書がサーバ等から呼び出され、水平型表示装置１０において例えば携帯型表示装置２０の横に表示される。
【００３４】
尚、この例では、電子文書の画像の上側が携帯型表示装置２０の操作者にとって向こう側になるように表示した。ここで、画像の上側とは、画像に固有の属性として予め決まっている向きに配置した場合に上になる側のことをいう。人間が画像を見るときの自然な向き、例えば文字を含む画像であれば人間が文字を読める向きを、画像に固有の属性としての向きとすればよい。こうすれば、画像の上側が携帯型表示装置２０の操作者にとって向こう側になるということは、水平型表示装置１０において携帯型表示装置２０の操作者にとって見易い向きに画像が表示されることを意味することとなる。しかしながら、電子文書の画像の表示方法としては、これ以外の表示方法を採用してもよい。例えば、携帯型表示装置２０を操作する参加者が、携帯型表示装置２０の表示画面２１を参照しながら説明し、他の参加者が、水平型表示装置１０上の表示を参照しながら説明を受ける場面も考えられる。このような場合、水平型表示装置１０には、携帯型表示装置２０の操作者以外の参加者にとって見易い向きに画像が表示されることが望ましい。即ち、電子文書の画像は、その上側が携帯型表示装置２０の表示画面２１を通常閲覧する側を向いた状態で表示するようにしてもよい。
【００３５】
図８は、携帯型表示装置２０に表示した電子文書を水平型表示装置１０に表示する第２の例を示したものである。
まず、参加者は、携帯型表示装置２０を水平型表示装置１０に載せる。このとき、携帯型表示装置２０の表示画面２１には、電子文書の３ページ目が表示されているとする。すると、（ａ）に示すように、水平型表示装置１０において、携帯型表示装置２０の左側には電子文書の２ページ目が、右側には電子文書の４ページ目が表示される。
次に、参加者が、電子文書のページをめくる操作を行うと、逐次、その情報が水平型表示装置１０に伝えられ、表示が更新される。例えば、（ｂ）に示すように、携帯型表示装置２０に電子文書の４ページ目が表示されたとすると、左側の画像は３ページ目に更新され、右側の画像は５ページ目に更新される。
【００３６】
次に、このような概略動作を実現する表示システムの構成について説明する。
尚、本実施の形態の表示システムでは、図１、５に示したように、水平型表示装置１０が携帯型表示装置２０のＩＤ及び自身の上での携帯型表示装置２０の位置を認識する場合と、図３に示したように、携帯型表示装置２０が水平型表示装置１０のＩＤ及び水平型表示装置１０の上での自身の位置を認識する場合とがある。
そこで、前者を第１の構成例として、後者を第２の構成例として、説明する。
【００３７】
図９は、第１の構成例を示した図である。
図示するように、本実施の形態の表示システムの第１の構成例は、水平型表示装置１０と、携帯型表示装置２０と、携帯型表示装置２０から受信した情報に応じて水平型表示装置１０上の共有画面を制御する共有画面制御装置３０とを含む。ここで、図１に示したように、水平型表示装置１０が、赤外光を照射する赤外光光源１７と、携帯型表示装置２０の底面で反射した赤外光を受光する赤外カメラ１８ａとを備えたものである場合、携帯型表示装置２０には、符号画像２６ａが貼付される。また、図５に示したように、水平型表示装置１０が、無線通信を行う送受信機１８ｂを備えたものである場合、携帯型表示装置２０には、ワイヤレスセンサ２６ｂが取り付けられている。尚、水平型表示装置１０と共有画面制御装置３０との間、及び、携帯型表示装置２０と共有画面制御装置３０との間は、例えばＬＡＮによって接続される。また、図では、１つの共有画面制御装置３０に対して、水平型表示装置１０及び携帯型表示装置２０も１つずつ接続されているが、複数接続されていても構わない。
【００３８】
尚、本実施の形態では、第１の装置、第１の表示装置の一例として、水平型表示装置１０を用いると共に、第１の装置の表示画面、第１の表示画面の一例として、天板１１（図１、５参照）を用いた。第２の装置、第２の表示装置の一例として、携帯型表示装置２０を用いると共に、第２の装置の表示画面、第２の表示画面の一例として、表示画面２１（図７、８参照）を用いた。更に、表示制御装置、制御装置の一例として、共有画面制御装置３０を用いた。
【００３９】
ここで、各装置の内部の機能構成について説明する。
水平型表示装置１０は、画像を表示するための処理を行う表示部１１１と、携帯型表示装置２０のＩＤ（以下、「携帯型ＩＤ」という）を検出するＩＤ検出部１８１と、天板１１上での携帯型表示装置２０の位置（以下、「携帯型位置」という）を算出する位置算出部１８２と、共有画面制御装置３０との間で情報の送受信を行う通信部１９とを備える。
表示部１１１は、通信部１９が共有画面制御装置３０から受信した表示状態に関する情報、例えば、表示位置や表示方向に関する情報に従い、天板１１に投影する画像をプロジェクタ１５に出力する。
ＩＤ検出部１８１は、赤外カメラ１８ａが撮像した画像又は送受信機１８ｂが受信した情報を解析することにより、携帯型ＩＤを検出する。
位置算出部１８２は、赤外カメラ１８ａが撮像した画像又は送受信機１８ｂが受信した情報を解析することにより、携帯型位置を算出する。
通信部１９は、自身のＩＤ、携帯型ＩＤ、携帯型位置を共有画面制御装置３０に送信したり、電子文書及び表示部１１１における表示状態に関する情報を共有画面制御装置３０から受信したりする。
【００４０】
携帯型表示装置２０は、画像を表示するための処理を行う表示部２１１と、画像に対するユーザ操作を受け付ける操作受付部２２と、携帯型ＩＤを保持するＩＤ保持部２６１と、共有画面制御装置３０との間で情報の送受信を行う通信部２９とを備える。
表示部２１１は、ユーザ操作に応じて電子文書を表示したり、電子文書の表示内容を変更したりするための処理を行い、画像を表示画面２１（図７、８参照）に表示する。
操作受付部２２は、ユーザ操作を受け付けて、そのユーザ操作に基づく表示が行われるよう、そのユーザ操作に関する情報を表示部２１１に伝えると共に、水平型表示装置１０においてそのユーザ操作に基づく表示の更新が行われるよう、そのユーザ操作に関する情報を通信部２９に伝える。
ＩＤ保持部２６１は、符号画像２６ａを携帯型表示装置２０の底面に貼付したり、ワイヤレスセンサ２６ｂを携帯型表示装置２０に取り付けたりすることで、実現される。即ち、本実施の形態では、第２の装置が保持する情報の一例として、符号画像２６ａやワイヤレスセンサ２６ｂが保持する情報を用いた。
通信部２９は、自身のＩＤと、操作受付部２２が受け付けたユーザ操作の対象となった電子文書に関する情報（以下、「文書情報」という）とを共有画面制御装置３０に送信する。ここで、文書情報とは、例えば、電子文書を一意に識別する情報（以下、「文書ＩＤ」という）や電子文書におけるページ番号である。
【００４１】
共有画面制御装置３０は、水平型表示装置１０上での表示状態を管理する表示状態管理部３１と、水平型表示装置１０に表示する電子文書を取得する文書取得部３２と、携帯型表示装置２０及び水平型表示装置１０との間で情報の送受信を行う通信部３９とを備える。
表示状態管理部３１は、どの水平型表示装置１０にどの携帯型表示装置２０が載っているかを把握する。また、その携帯型表示装置２０がどの位置に載っているかも把握する。即ち、本実施の形態では、位置を特定する位置特定手段の一例として、表示状態管理部３１のこの機能部分を設けている。更に、その携帯型表示装置２０がどの方向を向いて載っているかも把握する。即ち、本実施の形態では、方向を特定する方向特定手段の一例として、表示状態管理部３１のこの機能部分を設けている。更にまた、その携帯型表示装置２０の表示画面２１（図７、８参照）にどの電子文書の画像が表示されているか、及び、その画像がどのように変更されたかも把握する。即ち、本実施の形態では、画像を特定する画像特定手段、画像の変更を認識する認識手段の一例として、表示状態管理部３１のこの機能部分を設けている。
【００４２】
文書取得部３２は、水平型表示装置１０に新たに表示すべき電子文書又はページが生じた場合に、その電子文書又はページを、文書サーバ（図示せず）、携帯型表示装置２０、事前に電子文書を格納しておいた共有画面制御装置３０内のメモリ（図示せず）等から読み出す。
通信部３９は、水平型表示装置１０から水平型ＩＤ、携帯型ＩＤ、携帯型位置を受信し、携帯型表示装置２０から携帯型ＩＤ及び文書情報を受信する。また、水平型表示装置１０に対して電子文書及び表示状態に関する情報を送信する。即ち、本実施の形態では、表示を制御する制御手段の一例として、通信部３９を設けている。
【００４３】
図１０は、第２の構成例を示した図である。
図示するように、本実施の形態の表示システムの第２の構成例も、水平型表示装置１０と、携帯型表示装置２０と、携帯型表示装置２０から受信した情報に応じて水平型表示装置１０上の共有画面を制御する共有画面制御装置３０とを含む。ここで、図３に示したように、携帯型表示装置２０が、赤外光を照射する赤外光光源２７と、水平型表示装置１０の天板１１で反射した赤外光を受光する赤外カメラ２８とを備えたものである場合、水平型表示装置１０には、符号画像１６が貼付される。尚、この構成例においても、水平型表示装置１０と共有画面制御装置３０との間、及び、携帯型表示装置２０と共有画面制御装置３０との間は、例えばＬＡＮによって接続される。また、図では、１つの共有画面制御装置３０に対して、水平型表示装置１０及び携帯型表示装置２０も１つずつ接続されているが、複数接続されていても構わない。
【００４４】
尚、本実施の形態では、第１の装置、第１の表示装置の一例として、水平型表示装置１０を用いると共に、第１の装置の表示画面、第１の表示画面の一例として、天板１１（図３参照）を用いた。また、第２の装置、第２の表示装置の一例として、携帯型表示装置２０を用いると共に、第２の装置の表示画面、第２の表示画面の一例として、表示画面２１（図７、８参照）を用いた。更に、表示制御装置、制御装置の一例として、共有画面制御装置３０を用いた。
【００４５】
ここで、各装置の内部の機能構成について説明する。
水平型表示装置１０は、画像を表示するための処理を行う表示部１１１と、水平型表示装置１０のＩＤ（以下、「水平型ＩＤ」という）を保持するＩＤ保持部１６１と、共有画面制御装置３０との間で情報の送受信を行う通信部１９とを備える。
表示部１１１は、通信部１９が共有画面制御装置３０から受信した表示状態に関する情報、例えば、表示位置や表示方向に関する情報に従い、天板１１に投影する画像をプロジェクタ１５に出力する。
ＩＤ保持部１６１は、例えば符号画像１６を天板１１の表面に貼付することで、実現される。即ち、本実施の形態では、第１の装置が保持する情報の一例として、符号画像１６が保持する情報を用いた。
通信部１９は、電子文書及び表示部１１１における表示状態に関する情報を共有画面制御装置３０から受信する。
【００４６】
携帯型表示装置２０は、画像を表示するための処理を行う表示部２１１と、画像に対するユーザ操作を受け付ける操作受付部２２と、水平型ＩＤを検出するＩＤ検出部２８１と、水平型表示装置１０上での自身の位置である携帯型位置を検出する位置検出部２８２と、共有画面制御装置３０との間で情報の送受信を行う通信部２９とを備える。
表示部２１１は、ユーザ操作に応じて電子文書を表示したり、電子文書の表示内容を変更したりするための処理を行い、画像を表示画面２１（図７、８参照）に表示する。
操作受付部２２は、ユーザ操作を受け付けて、そのユーザ操作に基づく表示が行われるよう、そのユーザ操作に関する情報を表示部２１１に伝えると共に、水平型表示装置１０においてそのユーザ操作に基づく表示の更新が行われるよう、そのユーザ操作に関する情報を通信部２９に伝える。
ＩＤ検出部２８１は、赤外カメラ２８が撮像した画像を解析することにより、水平型ＩＤを検出する。
位置検出部２８２は、赤外カメラ２８が撮像した画像を解析することにより、携帯型位置を算出する。
通信部２９は、水平型ＩＤ、自身のＩＤ、携帯型位置、更には、操作受付部２２が受け付けたユーザ操作の対象となった電子文書に関する文書情報を共有画面制御装置３０に送信する。
【００４７】
共有画面制御装置３０は、水平型表示装置１０上での表示状態を管理する表示状態管理部３１と、水平型表示装置１０に表示する電子文書を取得する文書取得部３２と、携帯型表示装置２０及び水平型表示装置１０との間で情報の送受信を行う通信部３９とを備える。
表示状態管理部３１は、どの水平型表示装置１０にどの携帯型表示装置２０が載っているかを把握する。また、その携帯型表示装置２０がどの位置に載っているかも把握する。即ち、本実施の形態では、位置を特定する位置特定手段の一例として、表示状態管理部３１のこの機能部分を設けている。更に、その携帯型表示装置２０がどの方向を向いて載っているかも把握する。即ち、本実施の形態では、方向を特定する方向特定手段の一例として、表示状態管理部３１のこの機能部分を設けている。更にまた、その携帯型表示装置２０の表示画面２１（図７、８参照）にどの電子文書の画像が表示されているか、及び、その画像がどのように変更されたかも把握する。即ち、本実施の形態では、画像を特定する画像特定手段、画像の変更を認識する認識手段の一例として、表示状態管理部３１のこの機能部分を設けている。
【００４８】
文書取得部３２は、水平型表示装置１０に新たに表示すべき電子文書又はページが生じた場合に、その電子文書又はページを、文書サーバ（図示せず）、携帯型表示装置２０、事前に電子文書を格納しておいた共有画面制御装置３０内のメモリ（図示せず）等から読み出す。
通信部３９は、携帯型表示装置２０から水平型ＩＤ、携帯型ＩＤ、携帯型位置、文書情報を受信する。また、水平型表示装置１０に対して電子文書及び表示状態に関する情報を送信する。即ち、本実施の形態では、表示を制御する制御手段の一例として、通信部３９を設けている。
【００４９】
尚、図９及び図１０のシステム構成では、水平型表示装置１０とは別に共有画面制御装置３０を設けたが、共有画面制御装置３０は、水平型表示装置１０と一体に設けてもよい。そして、このような構成を採用した場合は、管理情報において、水平型ＩＤは必ずしも管理しなくてよい。
【００５０】
次に、本実施の形態の表示システムにおける動作を説明する。
図９では、まず、水平型表示装置１０において、ＩＤ検出部１８１が携帯型ＩＤを検出し、位置算出部１８２が携帯型位置を算出して、通信部１９が水平型ＩＤと共に、これらの情報を共有画面制御装置３０に送信する。また、携帯型表示装置２０において、操作受付部２２がユーザ操作を受け付け、通信部２９が携帯型ＩＤと共に、ユーザ操作の対象となった電子文書の文書情報を共有画面制御装置３０に送信する。
図１０では、携帯型表示装置２０において、ＩＤ検出部２８１が水平型ＩＤを、位置検出部２８２が携帯型位置を検出して、通信部２９が携帯型ＩＤと共に、これらの情報を共有画面制御装置３０に送信する。また同様に、携帯型表示装置２０において、操作受付部２２がユーザ操作を受け付け、通信部２９が携帯型ＩＤと共に、ユーザ操作の対象となった電子文書の文書情報を共有画面制御装置３０に送信する。
【００５１】
これにより、共有画面制御装置３０の動作が開始する。尚、ここでは、図７、８の表示を実現するための動作を分けて説明する。
図１１は、図７の表示を実現するための共有画面制御装置３０の動作を示したフローチャートである。
共有画面制御装置３０では、まず、通信部３９が、水平型ＩＤと携帯型ＩＤと携帯型位置とからなる情報を受信したか、携帯型ＩＤと文書ＩＤとからなる情報を受信したかを判定する（ステップ３０１）。
【００５２】
水平型ＩＤと携帯型ＩＤと携帯型位置とからなる情報を受信したと判定された場合、受信した情報は、表示状態管理部３１に渡される。尚、図９のシステム構成であれば、この情報は水平型表示装置１０から受信したものであり、図１０のシステム構成であれば、この情報は携帯型表示装置２０から受信したものである。そして、表示状態管理部３１は、水平型ＩＤと携帯型ＩＤと携帯型位置との対応に変化があったかどうかを判定する（ステップ３０２）。変化がなければ、処理を終了するが、変化があれば、受信した水平型ＩＤと携帯型ＩＤと携帯型位置との対応を登録する（ステップ３０３）。
【００５３】
携帯型ＩＤと文書ＩＤとからなる情報を受信したと判定された場合も、受信した情報は、表示状態管理部３１に渡される。尚、この場合、図９のシステム構成であっても、図１０のシステム構成であっても、この情報は、携帯型表示装置２０から受信したものである。そして、表示状態管理部３１は、携帯型ＩＤと文書ＩＤとの対応に変化があったかどうかを判定する（ステップ３０４）。変化がなければ、処理を終了するが、変化があれば、受信した携帯型ＩＤと文書ＩＤの対応を登録する（ステップ３０５）。
【００５４】
ステップ３０２で変化があったと判定された場合はステップ３０３の処理に引き続き、ステップ３０４で変化があったと判定された場合はステップ３０５の処理に引き続き、表示状態管理部３１が、水平型表示装置１０上での電子文書の表示位置及び表示方向を算出する（ステップ３０６）。例えば、図７では、ステップ３０１で受信した携帯型位置の横の位置を表示位置として算出する。
【００５５】
そして、文書取得部３２が表示対象の電子文書を読み出す（ステップ３０７）。ここで、表示対象の電子文書は、携帯型表示装置２０におけるユーザ操作の対象となった電子文書と必ずしも同じものでなくてよい。例えば、ユーザ操作の対象となった電子文書に予め関連付けられた他の電子文書を表示対象の電子文書として選択するようにしてもよい。この場合、予め関連付けられた他の電子文書の画像は、所定の関係を有する画像の一例である。また、このように所定の関係を有する画像が選択された場合において、ステップ３０６で算出される表示位置及び表示方向は、この所定の関係に応じたものとしてもよい。
【００５６】
その後、通信部３９が、ステップ３０６で算出した表示位置及び表示方向の情報と、ステップ３０７で読み出した電子文書とを水平型表示装置１０に送信する（ステップ３０８）。
これにより、水平型表示装置１０では、送信された電子文書の画像が、送信された表示位置に、送信された表示方向で表示されることとなる。
【００５７】
ここで、図１１の処理において表示状態管理部３１が参照及び更新を行う管理情報について述べる。尚、管理情報は、表示状態管理部３１が参照可能なメモリ（図示せず）に記憶しておくとよい。
この管理情報の説明の前に、まず、水平型表示装置１０の画面上の座標について説明しておく。図１２（ａ）に、画面上に設定する座標の例を示す。ここでは、画面を長方形とし、中心点を原点としている。そして、長手方向にＸ軸を、短手方向にＹ軸をとっている。
画面上には、携帯型表示装置２０を載せた位置が、Ａ１、Ｂ１、Ｃ１、Ｄ１を頂点とする四角形、及び、Ａ２、Ｂ２、Ｃ２、Ｄ２を頂点とする四角形で示されている。但し、これはあくまで一例であり、例えば、短い間隔で格子状に配置された点のうち、携帯型表示装置２０を載せた領域内に存在する点を管理するようなものであってもよい。
【００５８】
携帯型表示装置２０がこのように置かれた場合の管理情報の内容を図１２（ｂ）に示す。但し、（ａ）は水平型ＩＤ「Ｐ００１」の水平型表示装置１０に携帯型表示装置２０の置かれた状態を示すものとし、この水平型表示装置１０とは別に水平型ＩＤ「Ｐ００２」の水平型表示装置１０も管理されているものとする。
尚、（ｂ）の携帯型位置欄における座標については、（ａ）で点に付した記号の後ろに「ｘ」を付加することによりその点のＸ座標を表し、（ａ）で点に付した記号の後ろに「ｙ」を付加することによりその点のＹ座標を表すものとする。また、この場合、携帯型表示装置２０は矩形で近似し、４頂点の座標でその置かれた範囲を表すようにしているが、画面上でいずれの向きに置かれているかを示すために、左上点、右上点、左下点の３点の座標を記憶している。更に、管理情報には、携帯型表示装置２０に表示された電子文書のうちユーザ操作の対象となった電子文書の文書ＩＤも記憶されている。
【００５９】
図１１のステップ３０２では、図１２（ｂ）の管理情報において、水平型ＩＤと携帯型ＩＤと携帯型位置との対応関係に変化があったかどうかが判定される。そして、変化があったと判定された場合は、ステップ３０３において、登録済の対応関係が新たな対応関係に変更される。また、図１１のステップ３０４では、図１２（ｂ）の管理情報において、携帯型ＩＤと文書ＩＤとの対応関係に変化があったかどうかが判定される。そして、変化があったと判定された場合は、ステップ３０５において、登録済の対応関係が新たな対応関係に変更される。
【００６０】
図１３は、図８の表示を実現するための共有画面制御装置３０の動作を示したフローチャートである。
共有画面制御装置３０では、まず、通信部３９が、水平型ＩＤと携帯型ＩＤと携帯型位置とからなる情報を受信したか、携帯型ＩＤと文書ＩＤとページ番号とからなる情報を受信したかを判定する（ステップ３５１）。
【００６１】
水平型ＩＤと携帯型ＩＤと携帯型位置とからなる情報を受信したと判定された場合、受信した情報は、表示状態管理部３１に渡される。尚、図９のシステム構成であれば、この情報は水平型表示装置１０から受信したものであり、図１０のシステム構成であれば、この情報は携帯型表示装置２０から受信したものである。そして、表示状態管理部３１は、水平型ＩＤと携帯型ＩＤと携帯型位置との対応に変化があったかどうかを判定する（ステップ３５２）。変化がなければ、処理を終了するが、変化があれば、受信した水平型ＩＤと携帯型ＩＤと携帯型位置との対応を登録する（ステップ３５３）。
【００６２】
携帯型ＩＤと文書ＩＤとページ番号とからなる情報を受信したと判定された場合も、受信した情報は、表示状態管理部３１に渡される。尚、この場合、図９のシステム構成であっても、図１０のシステム構成であっても、この情報は、携帯型表示装置２０から受信したものである。そして、表示状態管理部３１は、携帯型ＩＤと文書ＩＤとページ番号との対応に変化があったかどうかを判定する（ステップ３５４）。変化がなければ、処理を終了するが、変化があれば、受信した携帯型ＩＤと文書ＩＤとページ番号との対応を登録する（ステップ３５５）。
【００６３】
ステップ３５２で変化があったと判定された場合はステップ３５３の処理に引き続き、ステップ３５４で変化があったと判定された場合はステップ３５５の処理に引き続き、表示状態管理部３１が、携帯型表示装置２０に表示された電子文書のページの前後のページの水平型表示装置１０上での表示位置及び表示方向を算出する（ステップ３５６）。例えば、図８では、ステップ３５１で受信した携帯型位置の左右の位置を表示位置として算出する。
【００６４】
そして、文書取得部３２が、携帯型表示装置２０に表示されたページの前後のページを表示対象のページとして読み出す（ステップ３５７）。但し、表示対象のページは、必ずしも前後のページでなくてよい。例えば、携帯型表示装置２０に表示されたページに予め関連付けられた他のページを表示対象のページとして選択するようにしてもよい。或いは、水平型表示装置１０への表示制御は、ページ単位で行わなくてもよい。例えば、あるフォルダ配下の画像データのうち、携帯型表示装置２０に表示された画像データよりも時間順で１つ前に作成した画像データと１つ後に作成した画像データとを表示対象として読み出してもよい。即ち、本実施の形態では、所定の順序関係において先及び後となる２つの画像の一例として、前ページの画像及び次ページの画像を用いた。また、第２の装置の位置を中心として対称な２つの位置の一例として、携帯型表示装置２０の左側の位置及び右側の位置を用いた。
【００６５】
その後、通信部３９が、ステップ３５６で算出した表示位置及び表示方向の情報と、ステップ３５７で読み出したページとを水平型表示装置１０に送信する（ステップ３５８）。
これにより、水平型表示装置１０では、送信されたページが、送信された表示位置に、送信された表示方向で表示されることになる。
【００６６】
ここで、図１３の処理において表示状態管理部３１が参照及び更新を行う管理情報について述べる。尚、管理情報は、表示状態管理部３１が参照可能なメモリ（図示せず）に記憶しておくとよい。
この管理情報でも、図１２（ａ）を参照して説明したのと同様に座標を表現し、携帯型表示装置２０が図１２（ａ）のように置かれているものとする。
携帯型表示装置２０がこのように置かれた場合の管理情報の内容を図１４に示す。但し、ここでは、図１２（ａ）に示す水平型ＩＤ「Ｐ００１」の水平型表示装置１０とは別に水平型ＩＤ「Ｐ００２」の水平型表示装置１０も管理されているものとする。また、管理情報には、携帯型表示装置２０に表示された電子文書のうちユーザ操作の対象となった電子文書の文書ＩＤ及びページも記憶されていている。
【００６７】
図１３のステップ３５２では、図１４の管理情報において、水平型ＩＤと携帯型ＩＤと携帯型位置との対応関係に変化があったかどうかが判定される。そして、変化があったと判定された場合は、ステップ３５３において、登録済の対応関係が新たな対応関係に変更される。また、図１３のステップ３５４では、図１４の管理情報において、携帯型ＩＤと文書ＩＤとページ番号との対応関係に変化があったかどうかが判定される。そして、変化があったと判定された場合は、ステップ３５５において、登録済の対応関係が新たな対応関係に変更される。
【００６８】
最後に、本実施の形態をコンピュータ９０にて実現するものとして、このコンピュータ９０のハードウェア構成について説明する。
図１５は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００６９】
尚、本実施の形態を実現するプログラムは、通信手段により提供することはもちろん、ＣＤ−ＲＯＭ等の記録媒体に格納して提供することも可能である。
【図面の簡単な説明】
【００７０】
【図１】本発明の実施の形態が適用される水平型表示装置及び携帯型表示装置の第１の例を示した図である。
【図２】第１の例で用いられる符号画像の例を示した図である。本発明の実施の形態の水平型表示装置に設けられる領域について示した図である。
【図３】本発明の実施の形態が適用される水平型表示装置及び携帯型表示装置の第２の例を示した図である。
【図４】第２の例で用いられる符号画像の例を示した図である。
【図５】本発明の実施の形態が適用される水平型表示装置及び携帯型表示装置の第３の例を示した図である。
【図６】第３の例で用いられるワイヤレスセンサの構成を示した図である。
【図７】本発明の実施の形態で実現する表示の第１の例を示した図である。
【図８】本発明の実施の形態で実現する表示の第２の例を示した図である。
【図９】本発明の実施の形態における表示システムの構成の第１の例を示した図である。
【図１０】本発明の実施の形態における表示システムの構成の第２の例を示した図である。
【図１１】本発明の実施の形態における表示システムの動作の第１の例を示したフローチャートである。
【図１２】第１の例で用いる管理情報を示した図である。
【図１３】本発明の実施の形態における表示システムの動作の第２の例を示したフローチャートである。
【図１４】第２の例で用いる管理情報を示した図である。
【図１５】本発明の実施の形態を実現可能なコンピュータのハードウェア構成図である。
【符号の説明】
【００７１】
１０…水平型表示装置、１１…天板、１３…投影ユニット、１５…プロジェクタ、２０…携帯型表示装置
【図１】
2008242367.tif 000003
【図２】
2008242367.tif 000004
【図３】
2008242367.tif 000005
【図４】
2008242367.tif 000006
【図５】
2008242367.tif 000007
【図６】
2008242367.tif 000008
【図７】
2008242367.tif 000009
【図８】
2008242367.tif 000010
【図９】
2008242367.tif 000011
【図１０】
2008242367.tif 000012
【図１１】
2008242367.tif 000013
【図１２】
2008242367.tif 000014
【図１３】
2008242367.tif 000015
【図１４】
2008242367.tif 000016
【図１５】
2008242367.tif 000017